(57)【要約】      （修正有）【課題】本発明は、錠剤や固形洗浄剤などのような、一次粒子を凝集一体化させて得られた凝集体の固さ、即ち、凝集体の凝集度を非接触にて破損させることなく高速に測定することができる凝集体の凝集度の測定方法を提供する。【解決手段】本発明の凝集体の凝集度の測定方法は、平均粒径が５０ｎｍ以下である一次粒子の凝集体Ｂに紫外線を照射する紫外線照射ステップと、紫外線を照射した凝集体から放射された蛍光を検出する蛍光検出ステップと、蛍光検出ステップで検出された蛍光に基づいて凝集体の凝集度を出力する凝集度出力ステップとを含む。【選択図】図３
2018040573.tif 000002
【特許請求の範囲】
【請求項１】
平均粒径が５０ｎｍ以下である一次粒子の凝集体に紫外線を照射する紫外線照射ステップと、
上記紫外線を照射した凝集体から放射された蛍光を検出する蛍光検出ステップと、
上記蛍光検出ステップで検出された蛍光に基づいて上記凝集体の凝集度を出力する凝集度出力ステップとを含むことを特徴とする凝集体の凝集度の測定方法。
【請求項２】
凝集度出力ステップは、予め取得された、凝集体の凝集度と蛍光のピーク波長との対応関係に基づいて上記凝集体の凝集度を算出するステップを含むことを特徴とする請求項１に記載の凝集度の測定方法。
【請求項３】
平均粒径が５０ｎｍ以下である一次粒子の凝集体に紫外線を照射する紫外線照射部と、
上記紫外線照射手段によって紫外線を照射された凝集体から放射された蛍光を検出する蛍光検出部と、
蛍光検出部にて検出された蛍光に基づいて上記凝集体の凝集度を算出する凝集度算出部とを含むことを特徴とする凝集体の凝集度測定装置。
【請求項４】
凝集度算出部は、予め取得された、凝集体の凝集度と蛍光のピーク波長との対応関係に基づいて上記凝集体の凝集度を算出することを特徴とする請求項３に記載の凝集体の凝集度測定装置。
【発明の詳細な説明】
【技術分野】
【０００１】
本発明は、凝集体の凝集度の測定方法及び凝集度測定装置に関する。
【背景技術】
【０００２】
従来から、一次粒子となる粉末状の薬剤（医薬品）及び洗浄剤などに必要に応じて賦形剤などを加えて圧縮成形することによって凝集させて一定の形状とした錠剤や固形洗浄剤が提供されている。このように、一定の形状とすることによって、錠剤にあっては正確な用量の薬剤を服用でき、固形洗浄剤にあっては適切な量の洗浄剤を使用することができるというメリットを有する。
【０００３】
一方、錠剤は、経口から服用され体内において溶解し薬効を奏することから、体内における錠剤の溶解性が薬効に大きな影響を及ぼす。また、固形洗浄剤においても、洗浄水中にて溶解し洗浄効果を奏することから、洗浄水中における固形洗浄剤の溶解性が、固形洗浄剤の洗浄性に大きな影響を及ぼす。
【０００４】
また、例えば、錠剤の体内における溶解性の大小は、錠剤の固さ、即ち、錠剤の錠剤摩損度を計ることによって目安を付けることができる。錠剤の摩損度の測定装置として、特許文献１に、ドラム内を２分割し中板を対称の位置に２枚取り付けることにより測定可能な錠剤を２検体同時に測定できる錠剤の摩損度測定器が提案されている。この摩損度測定器は、錠剤に一定の衝撃を加えることによって錠剤摩損度を測定している。
【先行技術文献】
【特許文献】
【０００５】
【特許文献１】特開昭６１−８６６３２号公報
【発明の概要】
【発明が解決しようとする課題】
【０００６】
しかしながら、上記摩損度測定器は、錠剤に衝撃を加えることによって破損した錠剤の減少重量に基づいて摩損度を測定していることから、錠剤の摩損度の測定に時間を要するという問題点を有する。
【０００７】
また、錠剤は、原料となる粉末状薬剤を必要に応じて賦形剤を加えた上で圧力を加えて所定の形状に賦形化して製造されていることから、全ての錠剤が同一の摩損度を有しているものではなく、錠剤の摩損度は一定のばらつきを有している。
【０００８】
上述の通り、錠剤の摩損度の測定は、錠剤を破損させて行われていることから、摩損度を測定した錠剤は販売することができない。実際に販売される錠剤は、測定サンプルとして用いられた錠剤と同程度の摩損度を有していると推定された上で販売されているにすぎず、上述の通り、錠剤の摩損度は一定のばらつきを有していることから、錠剤の中には、想定された範囲内の摩損度を有していない可能性があるという問題点を有している。
【０００９】
本発明は、錠剤や固形洗浄剤などのような、一次粒子を凝集一体化させて得られた凝集体の固さ、即ち、凝集体の凝集度を非接触（非破壊）にて破損させることなく高速に測定することができる凝集体の凝集度の測定方法及び測定装置を提供する。
【課題を解決するための手段】
【００１０】
本発明の凝集体の凝集度の測定方法は、
平均粒径が５０ｎｍ以下である一次粒子の凝集体に紫外線を照射する紫外線照射ステップと、
上記紫外線を照射した凝集体から放射された蛍光を検出する蛍光検出ステップと、
上記蛍光検出ステップで検出された蛍光に基づいて上記凝集体の凝集度を出力する凝集度出力ステップとを含むことを特徴とする。
【００１１】
本発明の凝集体の凝集度測定装置は、
平均粒径が５０ｎｍ以下である一次粒子の凝集体に紫外線を照射する紫外線照射部と、
上記紫外線照射手段によって紫外線を照射された凝集体から放射された蛍光を検出する蛍光検出部と、
蛍光検出部にて検出された蛍光に基づいて上記凝集体の凝集度を算出する凝集度算出部とを含むことを特徴とする。
【発明の効果】
【００１２】
本発明の凝集体の凝集度の測定方法及び測定装置は、平均粒径が５０ｎｍ以下である一次粒子の凝集体に紫外線を照射し、この照射に伴って凝集体から放射された蛍光に基づいて凝集体の凝集度を測定しているので、凝集体の凝集度、即ち、凝集体の固さを凝集体の破損なく非接触にて高速に測定することができる。
【００１３】
従って、個々の凝集体の凝集度を直接測定することができ、凝集度にばらつきのある凝集体の集合の中から所望の固さを有する凝集体を精度良く且つ高速に抽出することができる。
【図面の簡単な説明】
【００１４】
【図１】凝集体の凝集状態を示した模式図である。
【図２】凝集体の凝集状態を示した模式図である。
【図３】凝集体の凝集度測定装置を示した模式図である。
【図４】照射測定ヘッド部の構造を示した模式図である。
【図５】凝集体の凝集度測定装置のハードウエア構成を示した模式図である。
【図６】凝集体の凝集度測定装置の制御構成を示した模式図である。
【図７】凝集体の凝集度の測定手順を示したフローチャートである。
【図８】照射測定ヘッド部の構造の他の一例を示した模式図である。
【図９】蛍光スペクトルの一例を示したグラフである。
【図１０】図９の蛍光スペクトルにノイズ処理を施した後の蛍光スペクトルである。
【図１１】図１０の蛍光スペクトルの部分拡大図である。
【発明を実施するための形態】
【００１５】
本発明の凝集体の凝集度測定装置Ａの一例を図面を参照しながら説明する。なお、同一又は相当部分については、同一符号を付して説明を省略する。
【００１６】
〔測定原理〕
本発明者は、平均粒径が５０ｎｍ以下である一次粒子の凝集体（平均粒径が５０ｎｍ以下である一次粒子が凝集一体化して形成された凝集体）に紫外線（波長：１０〜４００ｎｍ）を照射し、この紫外線を照射された凝集体から放射された蛍光が、凝集体の凝集度によって変化することを見出した。なお、凝集体は、一次粒子が凝集一体化して形成されたものであるが、一次粒子は、必要に応じて賦形剤などを用いて凝集一体化されていてもよい。一次粒子の凝集体としては、医薬品（錠剤）、食品、農薬及び洗浄剤などが挙げられる。
【００１７】
凝集体の凝集度をより精度良く測定できるので、一次粒子の平均粒径は、５０ｎｍ以下であり、３０ｎｍ以下が好ましく、２５ｎｍ以下がより好ましく、１０ｎｍ以下が特に好ましい。なお、一次粒子の平均粒径は、一次粒子のそれぞれの粒径をＴＥＭを用いて測定し、一次粒子のそれぞれの粒径の相加平均値をいう。
【００１８】
詳細に説明すると、凝集体に紫外線が照射されると、凝集体から蛍光が放射されるが、凝集体の凝集度が低いほど、即ち、凝集体の凝集度合いが小さいほど、蛍光スペクトルは短波長側に移動する一方、凝集体の凝集度が高いほど、即ち、凝集体の凝集度合いが大きいほど、蛍光スペクトルは長波長側に移動することを見出した。
【００１９】
上述した凝集体の凝集度の変化によって蛍光スペクトルが変化する詳細な原理は明確に解明されていないが、以下の原理によると推測される。
【００２０】
平均粒径が５０ｎｍ以下である一次粒子の凝集体において、互いに隣接する粒子間に空間部が生じるが、この空間部には、図１及び図２に示したように、メソ孔とミクロ孔の二種類がある。ミクロ孔は、一次粒子同士の接点の近傍部に生じ、２ｎｍ未満の空間部を有している一方、メソ孔は、一次粒子同士の接点から離間した部分に生じ、２〜５０ｎｍの空間部を有する。
【００２１】
一次粒子の凝集体の凝集度が高いほど、一次粒子同士の接点（ミクロ孔の割合）が増加する一方、メソ孔の割合が減少する。反対に、一次粒子の凝集体の凝集度が低いほど、一次粒子同士の接点（ミクロ孔の割合）が減少する一方、メソ孔の割合が増加する。
【００２２】
そして、一次粒子同士の接点（ミクロ孔部分）においては電子の移動が容易となってバンドギャップが小さくなり、蛍光波長が長くなる一方、一次粒子同士の接点から離間した部分（メソ孔部分）においては電子の移動が生じにくくバンドギャップが大きくなり、蛍光波長が短くなる。
【００２３】
従って、凝集体の凝集度が高いほど、即ち、凝集体の凝集度合いが大きいほど、一次粒子同士の接点が多くなり、蛍光スペクトル（縦軸：蛍光強度、横軸：蛍光の波長〔ｎｍ〕）は長波長側に移動する一方、凝集体の凝集度が低いほど、即ち、凝集体の凝集度合いが小さいほど、一次粒子同士の接点が少なくなり、蛍光スペクトルは短波長側に移動する。
【００２４】
一次粒子の種類が同一であって凝集体の凝集度が同一であれば、蛍光スペクトルは概ね同一となることから、凝集体の凝集度ごとに蛍光スペクトル（標準蛍光スペクトル）を予め測定しておき、測定対象となる凝集体に紫外線を照射したときに得られる蛍光スペクトルを標準蛍光スペクトルと比較することによって、凝集体の凝集度を容易に測定することができる。
【００２５】
具体的には、凝集体の凝集度ごとに予め測定された標準蛍光スペクトルからピーク波長（標準ピーク波長）を特定し、凝集体の凝集度と標準ピーク波長との相関関係を得る。凝集体の凝集度が大きくなるほど、標準ピーク波長は長波長側にシフトする。
【００２６】
測定された蛍光スペクトルにはノイズが含まれており、このノイズを除去するために、蛍光スペクトルに必要に応じて単純移動平均法によってノイズ処理を施す。蛍光スペクトルにおいて、最も蛍光強度の高い波長を「蛍光スペクトルのピーク波長」とする。なお、上記単純移動平均法による蛍光スペクトルのノイズ処理は、下記の要領で行う。
【００２７】
先ず、測定された蛍光スペクトルの任意に選択された波長において、この波長以下の波長における蛍光強度であって上記選択された波長の蛍光強度を含み且つ互いに連続する２個の蛍光強度の相加平均値を上記任意に選択された波長における蛍光強度として蛍光スペクトル（２個）を描く。
【００２８】
測定された蛍光スペクトルと、蛍光スペクトル（２個）のピーク波長とを比較し、両者の蛍光スペクトルのピーク波長が一致したとき、このピーク波長を蛍光スペクトルのピーク波長とする。
【００２９】
一方、測定された蛍光スペクトルのピーク波長と、蛍光スペクトル（２個）のピーク波長とが不一致である場合は、上述と同様の要領で、蛍光スペクトル（３個）を描き、蛍光スペクトル（２個）のピーク波長と、蛍光スペクトル（３個）のピーク波長とを比較し、両者の蛍光スペクトルのピーク波長が一致したとき、このピーク波長を蛍光スペクトルのピーク波長とする。
【００３０】
これに対して、両者の蛍光スペクトルのピーク波長が不一致である場合は、上述と同様の要領で、蛍光スペクトル（ｎ個）のピーク波長と、蛍光スペクトル（ｎ＋１個）のピーク波長が一致するまで繰り返し行い、はじめて一致した時のピーク波長を蛍光スペクトルのピーク波長とする。
【００３１】
なお、蛍光スペクトル（ｎ個）とは、測定された蛍光スペクトルの任意に選択された波長において、この波長以下の波長における蛍光強度であって上記選択された波長の蛍光強度を含み且つ互いに連続するｎ個の蛍光強度の相加平均値を上記任意に選択された波長における蛍光強度として描かれた蛍光スペクトルをいう。
【００３２】
測定対象となる凝集体に紫外線を照射したときに得られる蛍光スペクトルからピーク波長を特定し、凝集体の凝集度と標準ピーク波長との相関関係に基づいて、測定されたピーク波長から凝集体の凝集度を算出することができる。
【００３３】
このように、紫外線が照射された凝集体から放射された蛍光スペクトルに基づいて凝集体の凝集度を測定することができる。
【００３４】
〔測定装置の構成〕
凝集体の凝集度測定装置Ａは、図３に示したように、測定処理部３と、照射測定ヘッド部４とを含む。
【００３５】
測定処理部３は、照射測定ヘッド部４と接続されており、照射測定ヘッド部４に対して紫外線の照射指令を与えるとともに、照射測定ヘッド部４において検出された蛍光スペクトルを処理して凝集体の凝集度を算出し出力する。
【００３６】
図４に示したように、照射測定ヘッド部４は、紫外線照射部としての紫外線を発生するためのＵＶ発光素子42と、ダイクロイックミラー43と、集光レンズ44と、測定対象となる凝集体Ｂから放射された蛍光を検出するための蛍光検出部としての分光器45とを含む。照射測定ヘッド部４において、ＵＶ発光素子42、ダイクロイックミラー43及び集光レンズ44は、光軸Ａｘ１上に位置するように配設されている。ＵＶ発光素子42で発生する蛍光励起用の紫外線は、集光レンズ44を通じて光軸Ａｘ１に沿って伝搬した後、光軸Ａｘ１上に配置される測定対象となる凝集体Ｂに集められる。凝集体Ｂは配設板Ｃ上に載置されている。なお、蛍光励起用の紫外線の照射径（スポット径）は、測定対象となる凝集体Ｂの範囲に応じて適宜設定すればよい。
【００３７】
ＵＶ発光素子42は、一例として、主発光ピークを２４８ｎｍとする紫外線を発生する。なお、ＵＶ発光素子42としては、公知の発光素子を用いることができ、例えば、紫外線ＬＥＤ及び紫外線ランプなどが挙げられ、紫外線ＬＥＤが好ましい。
【００３８】
測定対象となる凝集体Ｂに紫外線が照射されると、上述の通り、凝集体Ｂから蛍光が放射される。凝集体Ｂから生じた蛍光の大部分は、光軸Ａｘ１上を励起用の紫外線の伝搬方向とは逆方向に伝搬してダイクロイックミラー43に入射する。
【００３９】
ダイクロイックミラー43は、入射する光の波長成分に応じて、その伝搬方向を変化させる一種の光フィルタである。具体的には、ダイクロイックミラー43は、紫外線が光軸Ａｘ１に沿って入射すると、その伝搬方向を維持したまま、入射した紫外線を透過させる。一方、ダイクロイックミラー43は、蛍光が光軸Ａｘ１に沿って入射すると、その伝搬方向を９０°変化させた上で異なるポートから射出する。ダイクロイックミラー43の反射面は、通常、金属蒸着により形成されている。ダイクロイックミラー43としては、例えば、３００ｎｍより短い波長を透過域とし、且つ、３００ｎｍより長い波長を反射域とすることで、紫外線と蛍光とを分離することができる。
【００４０】
そのため、凝集体Ｂで生じた蛍光の多くは、光軸Ａｘ１に沿って紙面左側から紙面右側に伝搬した後、ダイクロイックミラー43においてその伝搬方向を紙面下側に曲げられる。そして、凝集体Ｂで生じた蛍光は、光軸Ａｘ２に沿って紙面上側から紙面下側に伝搬して、分光器45に入射する。
【００４１】
なお、ＵＶ発光素子42の射出面から集光レンズ44までの距離Ｌと、集光レンズ44から測定対象となる凝集体Ｂまでの距離とは、略同一となるように構成することが好ましい。
【００４２】
このように、図４に示す照射測定ヘッド部４においては、ダイクロイックミラー43が凝集体Ｂから受けた蛍光の伝搬方向を変更することで、同一の光軸Ａｘ１上を伝搬する励起用の紫外線と検出対象の蛍光とを分離することができる。そのため、凝集体Ｂから発生する微弱な蛍光であっても、確実に検出できる。
【００４３】
次に、図５に示したように、測定処理部３は、処理の実行主体となるＣＰＵ（Central Processing Unit）31と、表示部32と、設定ボタン33と、発振子34と、記憶部35と、電源装置36と、インターフェイス部37とを含む。
【００４４】
ＣＰＵ31は、後述する記憶部35に予め格納されたプログラムなどに従ってコマンドを順次実行することで、測定装置Ａ全体の処理を司る。具体的には、ＣＰＵ31は、ユーザにより指定されたタイミングなどに応答して、照射測定ヘッド部４に対して励起用の紫外線の照射開始を指示するとともに、照射測定ヘッド部４により検出された凝集体Ｂからの蛍光に基づいて、凝集体Ｂの凝集度を算出及び／又は出力する。
【００４５】
表示部32は、例えば、ＬＣＤ（Liquid Crystal Display）及びＣＲＴ（Cathode-Ray tube）などのディスプレイ、セグメント表示器、又は、表示ランプといった通知手段を含む。測定処理部３の表示部32としては、例えば、図３に示す模式図においては、算出された凝集体の凝集度を表示するためのセグメント表示器、測定装置Ａの状態などを示すためのＬＥＤ表示器などが挙げられる。
【００４６】
設定ボタン33は、各種のスイッチやボタンなどの指示受付手段を含む。設定ボタン33は、ユーザによる操作を受付けて、その操作に応じたコマンドをＣＰＵ31に出力する。図３に示す模式図においては、設定の変更／反映などを指示するためのボタンが例示されている。
【００４７】
発振子34は、ＣＰＵ31などが処理を実行する際の動作クロックを発生する。記憶部35は、例えば、Ｅ2ＰＲＯＭ（Electrically Erasable and Programmable Read only Memory）などからなり、ＣＰＵ31で実行されるプログラムが格納され、ＣＰＵ31で算出された凝集体の凝集度が格納される。
【００４８】
電源装置36は、駆動電源Ｖｃｃなどを受けて、測定装置Ａの内部において必要な各種電圧値をもつ電源を生成して供給する。
【００４９】
インターフェイス部37は、測定装置Ａの外部にある各種装置との間でデータのやり取りを仲介する。一例として、インターフェイス部37は、凝集体Ｂの凝集度を示す凝集度出力38と、ユーザなどからの測定開始を指示するための測定開始入力39とを入出力する。なお、凝集度出力38については、後述する。
【００５０】
なお、本発明において「出力」とは、各種表示装置に目的とする情報（データ）を表示してユーザに通知すること、及び、外部装置に目的とする情報（データ）を伝送することを含む。更に、本発明における「出力」には、測定装置Ａとプリンタなどを接続し、プリンタから情報が印刷された紙媒体を出力することも含む。
【００５１】
照射測定ヘッド部４は、励起用の紫外線を照射するためのＵＶ投光部4aと、凝集体Ｂで生じる蛍光を検出するための蛍光受光部4bとを含む。
【００５２】
ＵＶ投光部4aは、上述したＵＶ発光素子42に加えて、ＵＶ発光素子42を駆動するための投光駆動回路46を含む。投光駆動回路46には、駆動電力に加えて、ＣＰＵ31からの制御信号が与えられる。この制御信号が活性化（ＯＮ）になると、投光駆動回路46からＵＶ発光素子42に対して電力が供給され、ＵＶ発光素子42が励起用の紫外線の照射を開始する。
【００５３】
蛍光受光部4bは、上述した分光器45に加えて、増幅回路47と、Ａ／Ｄコンバータ48とを含む。増幅回路47は、分光器45から出力される電圧信号（検出された蛍光強度の大きさに比例）を所定の増幅率で増幅し、その増幅後の信号をＡ／Ｄ（Analog to Digital）コンバータ48へ出力する。Ａ／Ｄコンバータ48は、増幅回路47から入力されるアナログ信号を量子化することでデジタル信号を生成し、この生成されたデジタル信号をＣＰＵ31へ出力する。なお、Ａ／Ｄコンバータ48は、電源装置36により供給される参照電圧ＶＲＥＦを電圧基準として、量子化を行う。
【００５４】
〔制御構造〕
次に、測定装置Ａにおける制御構造について説明する。図６は、測定装置Ａの制御構造を示す模式図である。図６を参照して、測定装置Ａは、その制御構造として、バッファ51と、表示データ生成部52と、凝集度算出部53と、データベース54とを含む。一例として、測定装置Ａは、照射測定ヘッド部４により検出された蛍光を入力として、凝集体の凝集度を出力する。
【００５５】
なお、典型的には、表示データ生成部52及び凝集度算出部53は、ＣＰＵ31がプログラムを実行することで実現され、バッファ51及びデータベース54は、記憶部54の所定領域に実現される。
【００５６】
具体的には、計測開始トリガに応答して、バッファ51には、照射測定ヘッド部４からの検出値が取得されて格納される。この計測開始トリガに同期して、照射測定ヘッド部４へは、紫外線の照射指令が与えられる。バッファ51に格納された検出値は、表示データ生成部52及び凝集度算出部53からそれぞれアクセス可能となっている。なお、ノイズなどを除去するための各種の前処理（フィルタリング処理）を行ってもよい。
【００５７】
表示データ生成部52は、バッファ51に格納された蛍光スペクトルを表示するためのデータ、典型的には、表示部32を駆動するための信号を生成する。
【００５８】
凝集度算出部53は、バッファ51に格納された蛍光スペクトルに基づいて、凝集体Ｂの凝集度を算出し表示部32に出力する。データベース54に、凝集体Ｂから放射された蛍光スペクトルの標準ピーク波長と、その凝集体Ｂの凝集度とを対応付けたテーブル540（又は、グラフ、関係式又は関数）などを用意しておき、凝集度算出部53が、対応するテーブル540を参照して、バッファ51に格納された蛍光スペクトルに基づいてピーク波長を読み取り、このピーク波長をキーとしてテーブル540から凝集体Ｂの凝集度を算出する。凝集体Ｂの凝集度について、国際標準又は国内標準で定められた単位は存在しない。従って、ユーザが、標準蛍光スペクトルを測定した時に用いた、標準とした凝集体Ｂの凝集度を数値又はランクなどとして定め、この定められた凝集体の凝集度と、標準蛍光スペクトルの標準ピーク波長とを対応付ける必要がある。例えば、ユーザが凝集度合いの異なる凝集体を標準凝集体として用意する。そして、凝集度合いの最も高い凝集体の凝集度を１００とする一方、凝集度合いの最も低い凝集体の凝集度を０とし、これ以外の凝集度合いを有する凝集体の凝集度を凝集度合いに応じてユーザがそれぞれ０を超え且つ１００未満の値の中から定めればよい。更に、標準凝集体として用意することができなった、所定の凝集度合いを有する凝集体の凝集度については、用意した標準凝集体の凝集度に基づいて近似曲線を引き、近似曲線に基づいて、凝集体Ｂの凝集度とピーク波長とを対応付ければよい。又は、凝集度合いの最も高い凝集体の凝集度をＡランクとする一方、凝集度合いの最も低い凝集体の凝集度をＺランクとし、これ以外の凝集度合いを有する凝集体の凝集度を凝集度合いに応じてユーザがそれぞれＢ〜Ｙランクの中から定めてもよい。上記では、得られた蛍光スペクトルのピーク波長をキーとし、このピーク波長に対応した凝集体の凝集度を算出した場合を説明したが、蛍光スペクトルのピーク波長を凝集体の凝集度として用いてもよい。なお、凝集体Ｂから放射される蛍光スペクトルは、凝集体Ｂを構成している一次粒子の材質に依存するので、凝集体Ｂを構成している一次粒子の材質（種類）別にテーブル540を複数用意しておき、凝集体Ｂを構成している一次粒子の材質（種類）に応じたテーブル540を選択的に使用することが好ましい。
【００５９】
〔処理手順〕
以下、凝集体の凝集度の測定処理の手順について説明する。
図７は、凝集体の凝集度の測定手順を示すフローチャートである。図７に示す凝集体の凝集度の測定処理は、図６に示す制御構造に対応して実行されるものであり、凝集体Ｂから測定された蛍光スペクトルに基づいて、凝集体の凝集度が測定される。
【００６０】
先ず、ステップ１（Ｓ１）において、インターフェイス部37を通じてユーザによって測定開始指令が発行される。次に、ステップ２（Ｓ２）において、測定開始指令に応答して、照射測定ヘッド部４から励起用の紫外線が凝集体Ｂに向けて照射される。ステップ３（Ｓ３）において、照射測定ヘッド部４において、凝集体Ｂで生じる蛍光が検出される。ステップ４（Ｓ４）において、検出された蛍光に対して必要に応じてノイズ除去処理（フィルタリング処理）が施された上で、蛍光スペクトルが取得される。
【００６１】
ステップ５（Ｓ５）において、凝集度算出部53によって蛍光スペクトルのピーク波長が算出され、凝集体Ｂを構成している一次粒子の種類に応じたテーブル（又は関係式など）が必要に応じて選択され、選択されたテーブル（又は関係式など）を用いて、算出されたピーク波長に基づいて凝集体Ｂの凝集度が算出される。
【００６２】
次に、ステップ６（Ｓ６）において、出力処理が行われる。具体的には、ステップ５にて算出された凝集体Ｂの凝集度が表示部32に出力されて終了する。
【００６３】
上述のように、本発明の凝集体の凝集度の測定方法によれば、凝集体の凝集度を非接触にて高速に測定することができる。凝集体の凝集度は、凝集体の硬度や液中での凝集体の崩壊時間に影響を与えるが、凝集体の凝集度を凝集体ごとに非破壊にて高速に測定することができるので、製造した凝集体のそれぞれの凝集度を容易に測定し、凝集体の品質を管理することができる。
【００６４】
上記した照射測定ヘッド部４において、ＵＶ発光素子42で発生する蛍光励起用の紫外線の伝搬軌道と、凝集体Ｂから発生する蛍光の伝搬軌道とが同一の光軸Ａｘ１上にある場合を説明したが、ＵＶ発光素子42で発生する蛍光励起用の紫外線の伝搬軌道と、凝集体で発生する蛍光の伝搬軌道とを相違させてもよい。
【００６５】
ＵＶ発光素子42で発生する蛍光励起用の紫外線の伝搬軌道と、凝集体で発生する蛍光の伝搬軌道とが相違している照射測定ヘッド部４について説明する。なお、図４の照射測定ヘッド部４と同一構成又は相当部分については、同一符号を付して説明を省略する。
【００６６】
図８に示す測定装置Ａにおける照射測定ヘッド部４は、励起用の紫外線を照射するためのＵＶ投光部4a'と、凝集体Ｂで生じる蛍光を検出するための蛍光受光部4b'とを含む。
【００６７】
ＵＶ投光部4a'は、ＵＶ発光素子42と、集光レンズ44aとを含む。集光レンズ44aは、ＵＶ発光素子42と凝集体Ｂとを結んだ光軸Ａｘ３上に配置されている。従って、ＵＶ発光素子42で発生する励起用の紫外線は、集光レンズ44aを透過した後、光軸Ａｘ３に沿って伝搬して凝集体Ｂに入射する。
【００６８】
凝集体Ｂに紫外線が入射することによって凝集体Ｂで発生した蛍光の殆どは、凝集体Ｂを配設している配設板Ｃに対する紫外線の入射角に対応する反射角でもって放射される。即ち、蛍光の殆どは、配設板Ｃにおける凝集体Ｂの配設面に対する垂直軸を中心にして光軸Ａｘ３と対称となる光軸Ａｘ４に沿って伝搬する。
【００６９】
蛍光受光部4b'においては、上記光軸Ａｘ４上に、波長フィルタ49、集光レンズ44b及び分光器45が整列した状態で配置されている。波長フィルタ49は、ＵＶ投光部4a'から照射される励起用の紫外線が分光器45に直接入射することを抑制するための光フィルタである。波長フィルタ49は、凝集体Ｂで発生した蛍光が入射した場合には透過させる一方、測定対象ではない紫外線が入射した場合にはカットするような特性を有する。
【００７０】
従って、励起用の紫外線が凝集体Ｂに照射されることによって凝集体Ｂにて発生した蛍光は、波長フィルタ49を透過した後、集光レンズ44bによって集光されて、分光器45に入射するように構成されている。
【００７１】
なお、凝集体Ｂを構成している一次粒子の種類によって、凝集体にて発生する蛍光の波長が異なる場合には、蛍光の波長毎に、ＵＶ投光部及び／又は蛍光受光部を複数用意しておき、必要に応じて、適切なものを選択するようにしてもよい。
【００７２】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【実施例】
【００７３】
以下、本発明の実施例を説明するが、本発明はこれらの実施例によって限定されるものではない。
【００７４】
＜一次粒子の凝集体の製造＞
〔自然乾燥〕
縦０．８ｃｍ×横１．５ｃｍのステンレス基板の横方向の両端部に、粘着テープを厚みが０．１５ｍｍとなるように複数枚、重ね合わせて積層一体化した。ステンレス基板の中央部に、平均粒径４ｎｍ及び含水率が２１．２質量％であるコロイダルシリカを供給し、余剰のコロイダルシリカをガラス板でそぎ落として膜厚が０．１５ｍｍの均等なコロイダルシリカの薄膜を作製した。
【００７５】
コロイダルシリカの薄膜を２５℃にて１０時間に亘って自然乾燥させてコロイダルシリカの凝集体を作製した。
【００７６】
〔凍結乾燥〕
自然乾燥してコロイダルシリカの凝集体を製造した時と同様の要領でコロイダルシリカの薄膜を作製した。コロイダルシリカの薄膜を−１０℃にて４８時間に亘って乾燥させてコロイダルシリカの凝集体を作製した。
【００７７】
〔伝導伝熱乾燥（１００℃）〕
自然乾燥してコロイダルシリカの凝集体を製造した時と同様の要領でコロイダルシリカの薄膜を作製した。コロイダルシリカの薄膜を１００℃及び１５分の条件下にて伝導伝熱乾燥を行ってコロイダルシリカの凝集体を作製した。
【００７８】
〔伝導伝熱乾燥（１７５℃）〕
自然乾燥してコロイダルシリカの凝集体を製造した時と同様の要領でコロイダルシリカの薄膜を作製した。コロイダルシリカの薄膜を１７５℃及び１５分の条件下にて伝導伝熱乾燥を行ってコロイダルシリカの凝集体を作製した。
【００７９】
〔伝導伝熱乾燥（２５０℃）〕
自然乾燥してコロイダルシリカの凝集体を製造した時と同様の要領でコロイダルシリカの薄膜を作製した。コロイダルシリカの薄膜を２５０℃及び１５分の条件下にて伝導伝熱乾燥を行ってコロイダルシリカの凝集体を作製した。
【００８０】
自然乾燥、凍結乾燥、伝導伝熱乾燥（１００℃）、伝導伝熱乾燥（１７５℃）及び伝導伝熱乾燥（２５０℃）で得られたコロイダルシリカの凝集体のメソ孔容積及びミクロ孔容積を下記の要領で測定し、その結果を表１に示した。
【００８１】
なお、メソ孔容積は、Dollimore and Healの方法（DH法）によって測定した。Dollimore and Healの方法は、具体的には、Dollimore, D.; Heal, G. R. An Improved Method for the Calculation of Pore Size Distribution from Data. J. Appl. Chem. 1964, 14, 109−114に記載されている。
【００８２】
ミクロ孔容積は、t-plot法によって測定した。t-plot法は、具体的には、Lippens, B. C.; de Boer, J. H. Studies on Pore Systems in Catalysts: V. The t Method. J. Catal. 1965, 4, 319−323に記載されている。
【００８３】
コロイダルシリカの凝集体のメソ孔容積及びミクロ孔容積を見ると、メソ孔容積が最も高く且つミクロ孔容積が最も低い、凍結乾燥によって得られたコロイダルシリカの凝集体の凝集度が最も低い一方、メソ孔容積が最も低く且つミクロ孔容積が最も高い、伝導伝熱乾燥（２５０℃）によって得られたコロイダルシリカの凝集度が最も高いことが分かる。コロイダルシリカの凝集度は、凍結乾燥＜自然乾燥＜伝導伝熱乾燥（１００℃）＜伝導伝熱乾燥（１７５℃）＜伝導伝熱乾燥（２５０℃）の順序で高くなっていることが分かる。
【００８４】
次に、図３、５、６及び８に示した凝集体の凝集度の測定装置Ａを用いて、上述したそれぞれの乾燥方法で得られたコロイダルシリカの凝集体の凝集度を算出した。
【００８５】
具体的には、先ず、インターフェイス部37を通じてユーザによって測定開始指令を発行し（Ｓ１）、測定開始指令に応答して、照射測定ヘッド部４から主発光ピークを２４８ｎｍとする励起用の紫外線が凝集体Ｂに向けて照射された（Ｓ２）。照射測定ヘッド部４において、凝集体Ｂから放射された蛍光が検出され（Ｓ３）、検出された蛍光に対してノイズ除去処理（フィルタリング処理）が施された上で、蛍光スペクトルが取得された（Ｓ４）。
【００８６】
次に、凝集度算出部53によって蛍光スペクトルのピーク波長が算出され、このピーク波長を凝集体Ｂの凝集度として用い（Ｓ５）、得られた凝集体Ｂの凝集度が表示部32であるディスプレイに表示された。
【００８７】
得られた凝集体の凝集度を表１に示した。測定結果から分かるように、コロイダルシリカの凝集体の凝集度（凝集度合い）が高いほど、蛍光スペクトルのピーク波長が長波長側に移動していることが分かる。図９に、コロイダルシリカの凝集体のそれぞれの蛍光スペクトル（ノイズ処理前）を示した。図１０に、図９の蛍光スペクトルを単純移動平均法によってノイズ処理した後の蛍光スペクトルを示した。図１１に、ノイズ処理した蛍光スペクトル（図１０）の部分拡大図を示した。
【００８８】
【表１】
2018040573.tif 000003
【符号の説明】
【００８９】
３     測定処理部
４     照射測定ヘッド部
45     分光器
Ａ     凝集度測定装置
Ｂ     凝集体
【図１】
2018040573.tif 000004
【図２】
2018040573.tif 000005
【図３】
2018040573.tif 000006
【図４】
2018040573.tif 000007
【図５】
2018040573.tif 000008
【図６】
2018040573.tif 000009
【図７】
2018040573.tif 000010
【図８】
2018040573.tif 000011
【図９】
2018040573.tif 000012
【図１０】
2018040573.tif 000013
【図１１】
2018040573.tif 000014